(57)【要約】  吸熱面を形成する金属板は、中心部が半導体素子のサイズに合わせて突出している。この突出面の中心に板バネの固定支点を設け、四方に板バネを固定する。接地圧力は上記固定支点の一点を介する。これにより、吸熱面の発熱素子表面に対する傾きを最小に抑える。ヒートパイプは突出領域を外から囲うように周囲に設置する。
2011040253.tif 000002
【特許請求の範囲】
【請求項１】
半導体素子と、
該半導体素子が実装された基板と、
前記半導体素子の一面に熱界面材料を介して接し吸熱する金属板と、
該金属板に接続されたヒートパイプと、を少なくとも有する電子部品の冷却構造であって、
前記金属板が前記半導体素子と前記基板の両方に対して、前記熱界面材料を介して接することを特徴とする電子部品の冷却構造。 
【請求項２】
前記金属板と前記ヒートパイプからなる冷却器を前記半導体素子に対して固定する支点を、前記半導体素子に対面する前記金属板に設けたことを特徴とする請求項１記載の電子部品の冷却構造。 
【請求項３】
前記金属板と前記ヒートパイプからなる冷却器を前記半導体素子に対して固定する支点を、前記基板に対面する前記金属板に設けたことを特徴とする請求項１記載の電子部品の冷却構造。 
【請求項４】
前記ヒートパイプが前記半導体素子に対面する前記金属板に接地されていることを特徴とする請求項１記載の電子部品の冷却構造。 
【請求項５】
前記ヒートパイプが前記基板に対面する前記金属板に接地されていることを特徴とする請求項１記載の電子部品の冷却構造。 
【請求項６】
前記熱界面材料は液体もしくはグリースからなり、前記半導体面と前記金属板との間、および前記基板面と前記金属板との間の両方の空間に充填されていることを特徴とする請求項１記載の電子部品の冷却構造。 
【請求項７】
前記熱界面材料は固体もしくは熱伝導性シートからなり、前記半導体面と前記金属板との間、および前記基板面と前記金属板との間の両方の空間に充填されていることを特徴とする請求項１記載の電子部品の冷却構造。 
【請求項８】
請求項１に記載された電子部品の冷却構造を搭載したことを特徴とする電子機器。
【請求項９】
請求項７に記載された電子部品の冷却構造を搭載したことを特徴とする電子機器。
【発明の詳細な説明】
【技術分野】
【０００１】
本発明は、半導体装置などの電子部品の冷却に関し、特にパッケージ化された半導体チップで構成されるデバイスを対象とした電子部品の冷却構造、電子機器に関する。
本願は、２００９年９月３０日に、日本に出願された特願２００９−２２６１４８号に基づき優先権を主張し、その内容をここに援用する。
【背景技術】
【０００２】
中央演算処理装置（ＣＰＵ）などの半導体素子を冷却するために、ヒートシンクやヒートパイプなど冷却器が半導体素子に接地されて用いられている。また、高機能な素子では発熱量の増大、発熱面積の増大が課題となっている。冷却器の接地面は発熱素子の面に対して、Thermal Interface Material （ＴＩＭ） と呼ばれる主に高分子系の材料で出来た薄膜層を介して、伝熱の経路が形成されている。このため、これら二平面は出来る限り並行に固定することにより、素子面の効率的で均一な冷却が可能となる。実際には、こうした冷却処理を装置内部の限られたスペースで行う必要があり、個体差による接触不均衡や不均一な温度分布も課題となっている。【０００３】
近年の高機能ＣＰＵにおいては、グラフィック機能やインターフェイス機能の取り込みによって発熱量が継続的に増加傾向にある。このため、増加する発熱量に対応できる高性能な冷却構造が求められている。種々の機能の取り込みにより素子面積が増大しているため、伝熱面積が増大し、冷却には有利ともいえる。だが、局所的に発熱している箇所に対応するために、これまで以上に全体面積を均等に冷却できる構造が求められている。例えば、特許文献１では、特に高い冷却能力が求められる素子中心近傍に対して、ヒートシンクのフィンを排除して直接衝突流を供給する構造が記載されている。こうした構造においては、冷気の素子中心領域近傍への直接供給が可能になるが、一方で、その領域においてフィンを排除する必要があり、フィンによる放熱効率とのトレードオフが生じる。   【０００４】
また、例えば、特許文献２においては、ヒートシンクを固定するクリップの圧力発生位置をヒートシンクの中央付近にするための構造を提案している。これによりＴＩＭ領域の熱抵抗の低減を可能としている。しかし、一方で吸熱は素子に接する面に限定される。ＴＩＭ領域の熱抵抗の分布の役割は大きく、その影響は接地バランスが不均衡になった場合に異常に高圧力が発生する領域での熱抵抗が大きく低減することから分かる。また、異常に低い圧力が発生する領域が生じて、その領域での熱抵抗は大きく悪化する。そのため、特許文献２では、接触バランスが不均衡となった場合でも、常に素子中心近くでの接触圧力を大きく保てる構造を提案している。ただし、冷却時の吸熱面積は素子面積に限定される。 【０００５】
更に、例えば、特許文献３においては、ヒートパイプを用いた冷却構造が提案されている。冷却構造は板バネにより固定され、その力はＣＰＵの中央付近に発生している。ヒートパイプに接する面での吸熱効果が最も高いために、ヒートパイプはCPU中央付近に設置されている。板バネの圧力も中央で発生させるのが最も効率が高いが、実際には、中空のヒートパイプに対して圧力をかけることが出来ないため、その分中心から偏心せざるを得ない。
【先行技術文献】
【特許文献】
【０００６】
【特許文献１】特許第３００２６１１号公報
【特許文献２】特表２００２‐５１６０３１号公報
【特許文献３】特開２００８‐１３００３７号公報
【発明の概要】
【発明が解決しようとする課題】
【０００７】
しかし、上述した従来の電子部品の冷却構造や、これを搭載した電子機器において、発熱量の増大、発熱面積の増大、冷却構造の接地バランスの不均衡、温度分布の不均一といった課題があった。発熱量や発熱面積の増大は、局所的な発熱密度の増大を示唆し、装置信頼性の低下、ファン負荷の増大の恐れがある。そして、接地バランスの悪化、素子内温度分布悪化を引き起こす恐れがあった。 【０００８】
上記のように、発熱量の増大が続く半導体素子が実装されたパッケージの冷却性能を向上させることが求められている。
パッケージの全体構造を利用する冷却構造とすることで、冷却性能の向上だけでなく、接地バランスの改善、素子内温度分布の均一化を通じた冷却性能の安定化も求められている。
【課題を解決するための手段】
【０００９】
上記課題を解決するために、以下の側面のような電子部品の冷却構造、電子機器が提案される。
第１の側面の電子部品の冷却構造は、半導体素子と、該半導体素子が実装された基板と、前記半導体素子の一面に熱界面材料を介して接し吸熱する金属板と、該金属板に接続されたヒートパイプと、を少なくとも有する電子部品の冷却構造であって、
前記金属板が前記半導体素子と前記基板の両方に対して、前記熱界面材料を介して接することを特徴とする。 【００１０】
前記金属板と前記ヒートパイプからなる冷却器を前記半導体素子に対して固定する支点を、前記半導体素子に対面する前記金属板に設ければよい。
また、前記金属板と前記ヒートパイプからなる冷却器を前記半導体素子に対して固定する支点を、前記基板に対面する前記金属板に設ければよい。【００１１】
前記ヒートパイプが前記半導体素子に対面する前記金属板に接地されていればよい。
また、前記ヒートパイプが前記基板に対面する前記金属板に接地されていればよい。 【００１２】
前記熱界面材料は液体もしくはグリースからなり、前記半導体面と前記金属板との間、および前記基板面と前記金属板との間の両方の空間に充填されていればよい。
また、前記熱界面材料は固体もしくは熱伝導性シートからなり、前記半導体面と前記金属板との間、および前記基板面と前記金属板との間の両方の空間に充填されていればよい。【００１３】
また、他の側面の電子機器は、前記各項に記載された電子部品の冷却構造を搭載したことを特徴とする。
【発明の効果】
【００１４】
上記側面の電子部品の冷却構造、および電子機器によれば、冷却器吸熱面を発熱素子面とパッケージ基板表面の両面に接することにより、受熱面積を従来より大きくすることが可能で、その結果、より小さな熱抵抗でパッケージの冷却を実現することができ、半導体素子の温度低減、信頼性向上ができる。 
また、大きな吸熱面積を利用してヒートパイプが設置されることにより、ヒートシンク固定のための支点を素子中央に近い点で固定することが可能となる。設置バランスの向上させることが出来、重要な素子中央領域の冷却性を改善することができる。
さらに、設置バランスの向上の結果、素子内温度分布がより均一な冷却構造が提供できる。 
そして、ヒートパイプを低背に接地することが可能で、装置の薄型化が可能となる。
【図面の簡単な説明】
【００１５】
【図１】第一実施形態における電子部品の冷却構造を示す平面図である。
【図２】図１におけるＡ−Ａ線での断面図である。
【図３】第二実施形態における電子部品の冷却構造を示す平面図である。
【図４】図３におけるＡ−Ａ線での断面図である。
【図５】第三実施形態における電子部品の冷却構造を示す平面図である。
【図６】図５におけるＡ−Ａ線での断面図である。
【図７】第四実施形態における電子部品の冷却構造を示す平面図である。
【図８】図７におけるＡ−Ａ線での断面図である。
【図９】第五実施形態における電子部品の冷却構造を示す平面図である。
【図１０】図９におけるＡ−Ａ線での断面図である。
【図１１】電子機器の一例を示す平面図である。
【発明を実施するための形態】
【００１６】
以下、電子機器装置の熱輸送構造のいくつかの形態について説明する。なお、これら実施形態は、発明の趣旨をより良く理解させるために具体的に説明するものであり、特に指定のない限り、本発明を限定するものではない。また、以下の説明で用いる図面は、特徴をわかりやすくするために、便宜上、要部となる部分を拡大して示している場合があり、各構成要素の寸法比率などが実際と同じであるとは限らない。
【００１７】
（第一の実施形態）
図１は、第一実施形態における電子部品の冷却構造を示す平面図であり、図２は、図１におけるＡ−Ａ線での断面図である。
ここでは、例えば、１０ｍｍ×２０ｍｍの長方形の半導体素子が約４０ｍｍ正方の基板に実装された半導体パッケージをとり挙げる。図１、２において、１は半導体素子、２は基板、３は金属板、４はヒートパイプ、５は板バネ、６は締結ねじ、７は固定支点、８は熱界面材料をそれぞれ示す。
【００１８】
電子部品の冷却構造は、吸熱面を形成する金属板３は中心部を半導体素子１のサイズに合わせて突出させる。この突出面の中心に板バネ５の固定用の固定支点７を設け、四方に板バネ５を設置する。接地圧力は上記固定支点７の一点を介することで、吸熱面の発熱素子表面に対する傾きを最小に抑える。ヒートパイプ４は突出領域を外から囲うように周囲に設置する。 
【００１９】
このような構成によれば、冷却器の吸熱面積が増えることにより、冷却能力が向上する。冷却器の接地圧力発生点を発熱素子直上とすることにより、素子中央での接地圧力を高く維持でき、安定した冷却効果を得ることが可能になる。 
【００２０】
（第二の実施形態）
図３は、第二実施形態における電子部品の冷却構造を示す平面図であり、図４は、図３におけるＡ−Ａ線での断面図である。この実施形態は、固定用の板バネ５を基板２に接する領域に設置することで、半導体素子１に重なるようにヒートパイプ４を形成した例である。
【００２１】
（第三の実施形態）
図５は第三実施形態における電子部品の冷却構造を示す平面図であり、図６は図５におけるＡ−Ａ線での断面図である。この実施形態は、半導体素子１の長辺方向と直交する方向に延びるように２本のヒートパイプ４を配した例である。
【００２２】
（第四の実施形態）
図７は、第四実施形態における電子部品の冷却構造を示す平面図であり、図８は、図７におけるＡ−Ａ線での断面図である。この実施形態は、半導体素子１の長辺方向と直交する方向に延びるように１本のヒートパイプ４と、板バネ５とを平行に配した例である。
【００２３】
（第五の実施形態）
図９は、第五実施形態における電子部品の冷却構造を示す平面図であり、図１０は、図９におけるＡ−Ａ線での断面図である。この実施形態は、固定用の板バネ５を基板２に接する領域に設置し、かつ、半導体素子１に重ならない両側に２本のヒートパイプ４を形成した例である。
【００２４】
（第六の実施形態）
図１１は、電子機器の一例を示す平面図である。
図１１において、９はパーソナルコンピューター本体、１０はハードディスクドライブ、１１はＤＶＤドライブ、１２は基板、１３はＣＰＵパッケージ、１４はファン、１５は放熱フィンをそれぞれ示す。
こうした構成によれば、接地圧力を板バネ構造で発生させる場合、低背な冷却構造が可能となるが、従来は発熱素子直上に接地されたヒートパイプの高さに制限されていた。上記の実施形態によれば、ヒートパイプはより背の低いパッケージ基板上に接地することが可能で、冷却構造を含めて低背にすることが可能で、小型化が進む携帯端末などの電子機器の一層の小型化にも寄与する。
なお、上記の各実施形態において、熱界面材料８は液体もしくはグリースであってもよい。あるいは、熱界面材料８は固体もしくは熱伝導性シートであってもよい。
【産業上の利用可能性】
【００２５】
上記実施形態の適用例として、冷却を必要とする、電子機器、ノートブック・デスクトップ型ＰＣ、ワークステーション、サーバーなどの半導体装置が挙げられる。
【符号の説明】
【００２６】
１  半導体素子
２  基板
３  金属板
４  ヒートパイプ
５  板バネ
６  締結ねじ
７  固定支点
８  熱界面材料
９  パーソナルコンピューター本体
１０  ハードディスクドライブ
１１  ＤＶＤドライブ
１２  基板
１３  ＣＰＵパッケージ
１４  ファン
１５  放熱フィン
【図１】
2011040253.tif 000003
【図２】
2011040253.tif 000004
【図３】
2011040253.tif 000005
【図４】
2011040253.tif 000006
【図５】
2011040253.tif 000007
【図６】
2011040253.tif 000008
【図７】
2011040253.tif 000009
【図８】
2011040253.tif 000010
【図９】
2011040253.tif 000011
【図１０】
2011040253.tif 000012
【図１１】
2011040253.tif 000013
【国際調査報告】
2011040253.tif 000014
2011040253.tif 000015